(57)【要約】【課題】血圧や体温の測定機能を携帯電話に付加する場合、被測定体となる手のひらや指が正規な位置に所定時間配置されることが必要で、その操作性が重要になってくる。特に小型化が進む携帯電話は片手で保持するので、この機能も片手で操作できることが求められる。【解決手段】送信キー（５）により発呼動作を開始する携帯電話装置において、通話中装置本体を片手で保持する際に、保持する側の手を配することが可能な位置に体温あるいは血圧等の人体情報を測定するセンサ（１１）と、前記測定を開始する決定キー（１２）を備え、前記決定キー（１２）が送信キー（５）を兼用することを特徴とする携帯電話装置。  【選択図】 図１
2005159724.tif 000002
【特許請求の範囲】
【請求項１】
送信キーにより発呼を開始する携帯電話装置において、通話中装置本体を片手で保持する際に、保持する側の手を配することが可能な位置に人体情報を測定するセンサと、前記測定を開始する決定キーを備え、前記決定キーが前記送信キーを兼用することを特徴とする携帯電話装置。
【発明の詳細な説明】
【技術分野】
【０００１】
本発明は、携帯所持が可能な携帯電話装置であって、特に血圧、体温といった健康に関連する人体の情報を検出可能なセンサを有する携帯電話装置に関する。
【背景技術】
【０００２】
近年、携帯電話の普及がめざましく、携帯電話を所持する人が増えると様々な機能を携帯電話に付加することが考えられるようになっている。
例えば携帯電話にカメラ機能を付けたり、パーソナルコンピュータで利用されるインターネットや電子メールを携帯電話でも利用できる機能が付加されている。
一方、携帯電話を利用する人が高齢であったり、健康に気を使う人であったりすると、いつでも何処でも自分の健康状態を知りたいと思うようになる。特に血圧や体温は自分の健康状態を知る上で良い情報となる。
常時携帯可能な携帯電話に血圧や体温、あるいは血糖値といった健康状態に関する人体情報を測定する機能が付けば、携帯電話の使用者の利便性が更に向上することになる。
このような健康状態に関する人体の情報を検出できる携帯電話として、種々の発明が出願されている。
【０００３】
例えば以下にあげる公報には、それぞれ血圧計、体温計、カロリー消費量計、歩数計等の測定装置が組み込まれた携帯電話が記載されている。
【特許文献１】特開２００１−１０３１３４号
【特許文献２】特開２００１−２０３７８３号
【特許文献３】実用新案登録３０８４３９６号  これらの文献には、測定された健康状態に関する情報を携帯電話のディスプレイへ表示する機能や、携帯電話の通信機能を生かして情報を送信するといった機能が開示されている。
【発明の開示】
【発明が解決しようとする課題】
【０００４】
このような機能が携帯電話機に付加された場合、その操作性が重要になってくる。特に小型化が進む携帯電話は通話のための操作や通話中は片手で保持するので、電話機能以外の機能も片手で操作できることが求められる。
また、血圧や体温の測定には、被測定体となる手のひらや指が正規な位置に所定時間配置されることが必要である。
本願発明はこれら課題を解決したもので、様々な機能を有しながら操作性の良い携帯電話装置を提供するものである。  
【課題を解決するための手段】
【０００５】
上記課題を解決するには、本願発明は請求項１に示すように、送信キーにより発呼を開始する携帯電話装置において、通話中装置本体を片手で保持する際に、保持する側の手を配することが可能な位置に体温あるいは血圧、血糖値等の人体情報を測定するセンサと、前記測定を開始する決定キーを備え、前記決定キーが前記送信キーを兼用することを特徴とする携帯電話装置、のように構成する。
このような構成では、使用者が手をセンサによる測定領域に配したことを確認後決定キーを操作して測定が開始される。さらに、測定と同時にデータを所定の場所（例えば病院や自宅）へ送信を開始するため発呼動作を開始する。
また、決定キーと送話キーを兼用することから、通話をはじめようとするときにこの決定キーを操作することで、通話中の時間を利用して測定を行うことができる。
また、送話キーと決定キーをまとめて一つにすると、キースペースが効率よく使える。
【発明の効果】
【０００６】
本願発明によれば、携帯電話装置に、この装置を片手で保持する際手がセンサの測定領域にあることを決定するキーを備え、前記キーが送話ボタンを兼用するよう構成したので、被測定体である手がセンサの測定領域にあることを確認してから測定でき、誤ることなく確実に測定ができる。
そして、測定と送話を関連づけることで、時間の無駄なく測定ができ、リアルタイムに測定データを所定に場所に送信することができる。
【発明を実施するための最良の形態】
【０００７】
携帯電話機１には電話番号や文字を入力するテンキー２、電源キー３、各種モードを設定するモードキー４および電話機能時に送信を開始する送信キー５が設けられている。
６は液晶ディスプレイで、７はスピーカの放音孔、８はマイクの音声用穴である。
携帯電話機１の背面には、電話機１を（右でも左でも）片手で所持したときに必ず手のひらが覆う位置、実施例１の場合背面１０のほぼ中央に体温測定用の赤外線式非接触型温度センサおよびその検出孔１１を設ける。
また、携帯電話装置１を片手で所持した場合に指が添えられる側面９に、手がセンサの測定領域にあることを決定し体温の測定を開始する決定キー１２を設ける。
使用者は健康管理のため体温を病院や自宅へ送信しようとするとき、テンキー２で電話番号を入力した後、通話時に電話機１を所持するよう片手で電話機１を保持する。そのとき、手のひらが必ず検出孔１１を覆うことになる。
使用者は手のひらが検出孔１１を覆っていることを確認すると、決定キー１２を操作する。決定キーは送信キーを兼用しているため、体温の測定を開始すると同時に発呼動作を開始する。
温度センサは体温の測定を継続し、電話回線が相手と接続された時点で、その時点の体温データを送信する。
図１は本願発明の携帯電話装置を示し、（ａ）はその正面側、（ｂ）は背面側を示す。
図２は図１に示す電話装置のブロック図を示す。
図３は本願発明の他の実施例を示し、携帯電話装置の背面側を示す。
【実施例１】
【０００８】
図１により本願発明の携帯電話装置を説明する。
携帯電話装置の本体１にはその正面側に、装置の電源をオンオフする電源キー２、数字や文字を入力するためのテンキー３、装置の機能を決定するモードキー４、各種情報を表示するディスプレイ６、スピーカおよびその放音孔７、マイク及びその入音孔８が設けられている。電話信号はアンテナＡから送信あるいは受信される。
電話機能の場合に発呼を開始する送信キー５も正面側に設けられている。
本体１の背面１０にはそのほぼ中央に、例えば赤外線による非接触型温度センサを設け、その検出孔１１を配置する。この位置は、例えば本体が折り畳み式の場合、テンキー側を保持して通話することが多いのでテンキー側の背面、ヒンジ部近くに設けると良い。
その位置は多くの人が自然に片手で保持したときに本体の背面を覆う位置が望ましい。
【０００９】
一方本体１の側面９には、手が温度センサの測定領域にあることを決定し、体温測定を開始するための信号を発生させる決定キー１２を設ける。この決定キー１２の位置も、通話時に片手で本体１を保持したときに指が添えられる位置にキーを配置する。ほとんどの場合、通話時に片手で本体１を保持すると側面９に指が添えられることから、決定キー１２は側面９のディスプレイ側に設けると良い。
この場合も本体１が折り畳み式の場合などはキー側の側面、ヒンジ部あたりに設けると良い。
【００１０】
図２により図１に示す携帯電話装置のブロック構成を説明する。
本体１にはＣＰＵにより制御される本体制御部２１が各機能を制御する。本体制御部２１には電源キー２、テンキー３、モードキー４、送信キー５、が接続され、各キーにより操作信号が本体制御部２１に入力される。ディスプレイ６には制御部２１からの信号により各種データが表示される。
また、通話のための送受信は本体制御部２１からアンテナＡにより送受信される。本体制御部２１にはまた、センサー２３および決定キー１２が接続されている。    
【００１１】
このように構成された携帯電話装置の動作を説明する。
いま、現時点での体温を、健康管理のため外出先から病院や自宅へ送信しようとする。そのために、まずモードキー４により携帯電話装置のモードを体温送信モードに設定する。
つぎに、送信しようとする相手の電話番号をテンキー３（あるいは電話帳機能等）で本体制御部２１へ入力する。
つぎに使用者は通常放音孔７の部分を耳に当て送信を開始すが、そのとき使用者は同時に手のひらがセンサの検出孔１１を覆っていることを確認する。検出孔１１は片手で本体１を保持したとき手で覆われる位置に配置されるので、ほとんどの場合覆われることになる。
使用者が手の位置を確認したら決定キー１２を操作する。そうするとセンサ２３により体温を測定し、測定データは制御部に送られる。
センサ２３が測定を開始すると同時に本体制御部２１は入力された電話番号に基づき発呼動作を開始する。そして、回線が接続されると、そのときの測定データが送信される。
【００１２】
測定データを送信しないで記録しておく場合も考えられる。そのときは、モードキー４でモードを体温記録モードとする。
使用者は送信時と同様片手で装置本体１を保持し、手のひらがセンサの検出孔１１を覆っていることを確認した後決定キー１２を操作する。
センサー２３により測定された体温のデータは、そのときの時間情報と共にメモリ２２へ記憶される。
【００１３】
送話時の時間を利用して体温を測定することも考えられる。
そのときはモードキー４により携帯電話装置のモードを通話・測定モードとし、前述と同様の操作を行う。この場合本体制御部２１はセンサ２３による測定データをメモリ２２へ記憶すると共に通話状態となる。
これまでの説明では、送信キーと開始キーを別々に設けていたが、双方で機能を兼用しているためどちらか一方だけを配置しても良い。
【実施例２】
【００１４】
図３に本願発明の他の実施例として、携帯電話装置の背面１０に円筒状カフを有する血圧計２１を設けた構成を示す。この血圧計２１は背面のディスプレイ６側に配置され、人差し指を被測定体とするものである。
この血圧計２１は血圧計本体２４と円筒状のカフ２３で構成されている。本体２４は円弧状の突起形状で、その頂部にカフ２３が図に示すよう縦方向に取り付けられている。この形状は、片手で携帯電話装置を保持した場合に人差し指を差し込むのに都合良く配置される。
本体内にはカフを指に圧着させるポンプや、圧力センサが収納されている。本体２４の上部側傾斜面には決定キー２２が設けられ、カフ２２に装着された指の先で操作可能となっている。
【００１５】
この構成ではカフを指に装着したときに決定キーを押せるようになるため、指がセンサの測定領域であることが確実となる。
この実施例２の動作は図２による動作と同じなので説明を省略する。
【図面の簡単な説明】
【００１６】
【図１】図１は本願発明の携帯電話装置を示し、（ａ）はその正面側、（ｂ）は背面側を示す。
【図２】図２は図１に示す電話装置のブロック図を示す。
【図３】図３は本願発明の他の実施例を示し、携帯電話装置の背面側を示す。
【符号の説明】
【００１７】
１  本体
３  テンキー
５  送信キー
６  ディスプレイ
１１  検出孔
２３  センサー
【図１】
2005159724.tif 000003
【図２】
2005159724.tif 000004
【図３】
2005159724.tif 000005